(57)【要約】      （修正有）【課題】簡単な構成で所望の高さに電球を取り付けることが可能な、電球の口金スペーサー、および口金スペーサーを備えた照明器具を提供する。【解決手段】口金スペーサー１０ａは筒状であり、一方の端部に設けられる雌ねじ部１１と、他方の端部に設けられる雄ねじ部１２と、軸線方向に所定の寸法を有する胴部１３とを含む。雌ねじ部１１は、口金６０の雄ねじ６１に螺合される。また、雄ねじ部１２は、照明器具の取り付け箇所である天井面に予め設けられる図示しないソケットの雌ねじに螺合される。また、胴部１３の所定の寸法は、所望の高さにＬＥＤ電球５０を取り付けることができるよう、予め調整して製造されることが好ましい。【選択図】図２
0003186151.tif 000002
【実用新案登録請求の範囲】
【請求項１】
一方の端部に設けられる雌ねじ部と、
他方の端部に設けられる雄ねじ部と、
前記他方の端部の中央に位置し、前記雄ねじ部とは電気的に絶縁された中央電極部とを含み、
前記雌ねじ部を電球に設けられる口金の雄ねじに螺合するとともに、前記雄ねじ部を電球の取り付け箇所に設けられるソケットの雌ねじに螺合することにより、前記口金の雄ねじと前記ソケットの雌ねじとを電気的に導通するよう接続し、且つ前記中央電極部と前記ソケットに設けられる中央電極とを電気的に導通するよう接続する、電球の口金スペーサー。
【請求項２】
前記口金スペーサーは、
一方の端部に前記雌ねじ部を含む第１のスペーサーと、
他方の端部に前記雄ねじ部を含む第２のスペーサーとを含み、
前記第１のスペーサーと前記第２のスペーサーとは電気的に導通するよう接続される、請求項１に記載の電球の口金スペーサー。
【請求項３】
前記口金スペーサーは筒状である、請求項１または２に記載の電球の口金スペーサー。
【請求項４】
前記口金スペーサーは、自身の内部に、前記中央電極部に固定接続されたリード線を有する、請求項１〜３のいずれかに記載の電球の口金スペーサー。
【請求項５】
口金を有する電球と、
一方の端部に設けられ、前記口金の雄ねじに螺合する雌ねじ部と、他方の端部に設けられ、電球の取り付け箇所に設けられるソケットの雌ねじに螺合する雄ねじ部と、前記他方の端部の中央に位置し、前記雄ねじ部とは電気的に絶縁された中央電極部とを含み、前記口金と前記ソケットとを電気的に導通するよう接続する口金スペーサーとを備え、
前記電球の光源から導出される２本のリード線のうち、一方のリード線は前記電球の口金の雄ねじに接続され、
他方のリード線は前記口金を軸線方向に貫通し、前記口金スペーサーの内部を通って、前記中央電極部に接続される、照明器具。
【請求項６】
前記口金スペーサーは筒状である、請求項５に記載の照明器具。
【考案の詳細な説明】
【技術分野】
【０００１】
この考案は、電球の口金スペーサー、および口金スペーサーを備えた照明器具に関する。
【背景技術】
【０００２】
電球にはソケットに螺合して取り付けるための口金が設けられる。このような口金が例えば、実開平７−２９７３８号公報（特許文献１）に記載されている。特許文献１に記載された口金は、雄ねじ部がソケットの雌ねじに螺合され、雄ねじ部の中央に設けられる中央電極部がソケットの中央電極と当接するように構成されている。こうすることにより、光源から導出される２本のリード棒の中継線の一方を雄ねじ部に接続して電気的に導通させることができ、且つ他方を中央電極部に接続することで電気的に導通させることができる。
【先行技術文献】
【特許文献】
【０００３】
【特許文献１】実開平７−２９７３８号公報
【考案の概要】
【考案が解決しようとする課題】
【０００４】
特許文献１に記載され電球の口金は上記のように構成されていた。しかしながら、特許文献１に記載された口金では、電球を取り付ける所望の高さよりも高い位置にソケットが設けられている場合に、取り付ける高さを変更できないという問題があった。また、電球の取り付け箇所である、例えば天井面などから奥まった箇所にソケットが設けられている場合に、取り付けが困難になるという問題があった。さらに、電球と電球から発せられる光を反射するための反射カバーとを固着した照明器具とした場合、口金をソケットに装着し難くなるという問題があった。
【０００５】
この考案は上記した問題点に鑑みてなされたものであり、簡単な構成で所望の高さに電球を取り付けることが可能な、電球の口金スペーサー、およびこのような口金スペーサーを備えた照明器具を提供することを目的とする。
【課題を解決するための手段】
【０００６】
この考案に係る電球の口金スペーサーは、一方の端部に設けられる雌ねじ部と、他方の端部に設けられる雄ねじ部と、他方の端部の中央に位置し、雄ねじ部とは電気的に絶縁された中央電極部とを含む。雌ねじ部を電球に設けられる口金の雄ねじに螺合するとともに、雄ねじ部を電球の取り付け箇所に設けられるソケットの雌ねじに螺合することにより、口金の雄ねじとソケットの雌ねじとを電気的に導通するよう接続し、且つ中央電極部とソケットに設けられる中央電極とを電気的に導通するよう接続する。
【０００７】
好ましくは、口金スペーサーは、一方の端部に雌ねじ部を含む第１のスペーサーと、他方の端部に雄ねじ部を含む第２のスペーサーとを含む。第１のスペーサーと第２のスペーサーとは電気的に導通するよう接続される。
【０００８】
さらに好ましくは、口金スペーサーは筒状である。
【０００９】
さらに好ましくは、口金スペーサーは、自身の内部に、中央電極部に固定接続されたリード線を有する。
【００１０】
この考案の他の局面においては、照明器具は、口金を有する電球と、一方の端部に設けられ、口金の雄ねじに螺合する雌ねじ部と、他方の端部に設けられ、電球の取り付け箇所に設けられるソケットの雌ねじに螺合する雄ねじ部と、他方の端部の中央に位置し、雄ねじ部とは電気的に絶縁された中央電極部とを含み、口金とソケットとを電気的に導通するよう接続する口金スペーサーとを備える。電球の光源から導出される２本のリード線のうち、一方のリード線は電球の口金の雄ねじに接続され、他方のリード線は口金を軸線方向に貫通し、口金スペーサーの内部を通って、中央電極部に接続される。
【００１１】
好ましくは、口金スペーサーは筒状である。
【考案の効果】
【００１２】
この考案に係る電球の口金スペーサーは、雌ねじ部を電球に設けられる口金の雄ねじに螺合するとともに、雄ねじ部を電球の取り付け箇所に設けられるソケットの雌ねじに螺合することにより、口金の雄ねじとソケットの雌ねじとを電気的に導通するよう接続し、且つ自身の中央電極部とソケットに設けられる中央電極とを電気的に導通するよう接続した。
【００１３】
その結果、簡単な構成で所望の高さに電球を取り付けることが可能な、電球の口金スペーサー、およびこのような口金スペーサーを備えた照明器具を提供できる。
【図面の簡単な説明】
【００１４】
【図１】この考案の一実施の形態に係る照明器具１００ａの側面図である。
【図２】図１で示した照明器具１００ａが含む、口金スペーサー１０ａの単独での側面図と、照明器具１００ａの口金スペーサー１０ａを取り外して除いた場合の側面図である。
【図３】図１のＩＩＩ−ＩＩＩ断面図である。
【図４】この考案の他の実施の形態に係る照明器具１００ｂの側面図である。
【図５】延長用スペーサー２０の単独での側面図である。
【図６】この考案のさらに他の実施の形態に係る照明器具１００が含む、口金スペーサー１０ｂの図１のＩＩＩ−ＩＩＩ断面図と同様の断面図である。
【考案を実施するための形態】
【００１５】
以下、この考案の実施の形態について図面を参照して説明する。図１はこの考案の一実施の形態に係る照明器具１００ａの側面図である。図１を参照して、照明器具１００ａは、口金スペーサー１０ａと、光源であるＬＥＤ電球５０と、ＬＥＤ電球５０から発せられる光を反射するための反射カバー７０とを含む。
【００１６】
次に、図２（ａ）は図１で示した照明器具１００ａの口金スペーサー１０ａの単独での側面図である。図２（ａ）を参照して、この実施の形態に係る照明器具１００ａの口金スペーサー１０ａは筒状であり、一方の端部に設けられる雌ねじ部１１と、他方の端部に設けられる雄ねじ部１２と、軸線方向に所定の寸法を有する胴部１３とを含む。
【００１７】
雌ねじ部１１は、後に図２（ｂ）を用いて説明する口金６０の雄ねじ６１に螺合される。また、雄ねじ部１２は、照明器具１００ａの取り付け箇所である天井面に予め設けられる図示しないソケットの雌ねじに螺合される。また、胴部１３の所定の寸法は、所望の高さに照明器具１００ａおよびＬＥＤ電球５０を取り付けることができるよう、予め調整して製造されることが好ましい。
【００１８】
次に、図２（ｂ）は図１で示した照明器具１００ａの口金スペーサー１０ａを取り外して除いた場合の側面図である。図２（ｂ）を参照して、ＬＥＤ電球５０の天井面側の端部には、口金スペーサー１０の雌ねじ部１１に螺合するための口金６０が設けられる。口金６０は筒状であり、口金スペーサー１０の雌ねじ部１１に螺合されるため、自身の外部の側面に雄ねじ６１を有する。
【００１９】
そして、この筒状の口金６０を、ＬＥＤ電球５０の光源から導出される２本のリード線５１のうちの一本のリード線５１ａが軸線方向に貫通して延びるように構成されている。このリード線５１ａ、およびここでは図示しない、口金６０の内部の側面に接続されるもう一本のリード線５１ｂについては、後に図３を用いて詳細に説明する。
【００２０】
次に、図１で示した照明器具１００ａのＩＩＩ−ＩＩＩ断面図である図３を用いて、口金６０および口金スペーサー１０ａの内部の構成について説明する。図３を参照して、図２で説明したように、口金スペーサー１０の雌ねじ部１１は口金６０の雄ねじ６１に螺合される。
【００２１】
なお、径方向の寸法について、口金スペーサー１０ａの雄ねじ部１２および胴部１３は、ＬＥＤ電球５０の口金６０の外径と同じ寸法を有し、口金スペーサー１０ａの雌ねじ部１１はＬＥＤ電球５０の口金６０を包み込むようにして螺合できるよう、雄ねじ部１２および胴部１３と比較して大きい外径寸法を有することが好ましい。
【００２２】
次に、２本のリード線５１ａ，５１ｂはＬＥＤ電球５０の光源から導出されるものである。リード線５１ａは、筒状である口金６０、および口金スペーサー１０ａを軸線方向に貫通し、口金スペーサー１０ａの天井面側の端部の中央に設けられる中央電極部１７に接続される。
【００２３】
なお、リード線５１ａが、口金６０および口金スペーサー１０ａと電気的に接続されることがないよう、口金スペーサー１０ａの天井面側の端部には、絶縁物質１８が設けられることが好ましい。この絶縁物質１８は、軸線方向の中央にリード線５１ａを貫通させ、且つ中央電極部１７を設けるための孔１９を有する。
【００２４】
なお、リード線５１ａは、予め中央電極部１７に接続するのに適した長さで製造してもよいし、余分の長さを有するように製造して、取り付け現場で不要な部分を切断し中央電極部１７に接続するのに適した長さに製造してもよい。
【００２５】
また、ＬＥＤ電球５０の光源から導出されるもう一本のリード線５１ｂは、口金６０の内部の側面に接続される。なお、口金６０および口金スペーサー１０ａは任意の導電物質で形成される。そして、口金６０の雄ねじ６１と口金スペーサー１０ａの雌ねじ部１１とが螺合され、さらに口金スペーサー１０の雄ねじ部１２と図示しないソケットの雌ねじが螺合されて電気的に接続される。こうすることにより、口金６０の内部の側面は電極となり得る。
【００２６】
上記したように、この実施の形態に係る口金スペーサー１０ａは、一方の端部に設けられる雌ねじ部１１をＬＥＤ電球５０の端部に設けられる口金６０の雄ねじ６１に螺合するとともに、他方の端部に設けられる雄ねじ部１２を図示しない天井面に予め設けられるソケットの雌ねじに螺合することにより電気的に接続するようにした。その結果、簡単な構成で所望の高さに照明器具１００ａ、およびＬＥＤ電球５０を取り付けることが可能となる。
【００２７】
次に、図４および図５を用いて、この考案の他の実施の形態に係る照明器具１００ｂについて説明する。なお、延長用スペーサー２０が口金６０と口金スペーサー１０ａの間に設けられることを除いて、図１〜３を用いて説明した照明器具１００ａと同様であるため、同一部分には同じ参照番号を付し、同様となる説明は省略する。
【００２８】
図４は、この実施の形態に係る照明器具１００ｂの側面図である。また、図５はこの照明器具１００ｂが備える延長用スペーサー２０の単独での側面図である。図４を参照して、照明器具１００ｂには、図１で説明した照明器具１００ａの口金６０と口金スペーサー１０ａとの間に延長用スペーサー２０が設けられる。
【００２９】
次に図５を参照して、延長用スペーサー２０は筒状であり、図１〜３を用いて説明した口金スペーサー１０ａと同様の、口金６０の雄ねじ６１に螺合するための雌ねじ部１１と、口金スペーサー１０ａの雌ねじ部１１と螺合するための雄ねじ部２２と、軸線方向に所定の寸法を有する胴部２３とを含む。
【００３０】
そして、ＬＥＤ電球５０の光源から導出されるリード線５１ａは、照明器具１００ａの場合と同様に、筒状である口金６０、延長用スペーサー２０の胴部２３、および口金スペーサー１０ａの胴部１３を通って、口金スペーサー１０ａの天井面側の端部に設けられる中央電極部１７に電気的に接続される。
【００３１】
上記したように、口金６０と口金スペーサー１０ａとの間に延長用スペーサー２０を設けることにより、照明器具１００ｂの取り付ける高さを変更できるため、より容易に所望の高さに照明器具１００ｂ、およびＬＥＤ電球５０を取り付けることが可能となる。
【００３２】
なお、この実施の形態では、延長用スペーサー２０を一つ設ける場合について説明したが、これに限らず、複数の延長用スペーサー２０を設け、自身の雄ねじ部２２と、自身とは他の延長用スペーサー２０の雌ねじ部１１とを螺合することにより、相互に接続できるようにしてもよい。こうすることにより、照明器具１００ｂの取り付ける高さを多様に変更することができるため、より容易に所望の高さに照明器具１００ｂ、およびＬＥＤ電球５０を取り付けることが可能となる。また、各々が様々な軸線方向の寸法の胴部２３を有する、複数の延長用スペーサー２０を設けることにより、さらにより容易に所望の高さに照明器具１００ｂ、およびＬＥＤ電球５０を取り付けることが可能となる。
【００３３】
なお、このように複数の延長用スペーサー２０を設け、取り付け現場で照明器具１００ｂの取り付ける高さを調整する場合、リード線５１ａは余分の長さを有するようにし、不要な部分を切断して中央電極部１７に接続するようにすることが好ましい。また、製造する際に予めリード線５１ａと中央電極部１７を接続するようにしてもよい。
【００３４】
次に、図６を用いてこの考案のさらに他の実施の形態について説明する。なお、この実施の形態に係る照明器具１００は、図１〜４を用いて説明した口金スペーサー１０ａの代わりに、この口金スペーサー１０ａと内部の構成が異なる口金スペーサー１０ｂを備えることを除いて、図１〜３を用いて説明した照明器具１００ａ、および／または図４を用いて説明した照明器具１００ｂと同様であるため、同一部分には同じ参照番号を付し、同様となる説明は省略する。
【００３５】
図６は、この実施の形態に係る照明器具１００が備える口金スペーサー１０ｂの、図３で示した図１のＩＩＩ−ＩＩＩ断面と同様の断面図である。なお、この図６では、図３で示した口金６０の図示を省略している。
【００３６】
図６を参照して、口金スペーサー１０ｂは、自身の内部に、ＬＥＤ電球５０の光源から導出されるリード線５１ａと中央電極部１７との間を中継して電気的に接続するための中継リード線９１と、自身の中央を軸線方向に中継リード線９１が貫通するバネ９２と、中継リード線９１およびバネ９２が上端に当接する受け板９４を含み、導電性を有する物質で形成される移動部材９３と、口金スペーサー１０ｂと同じ軸線方向の孔９９を有する円筒状の絶縁物質９８とを含む。
【００３７】
絶縁物質９８の外周の側面は、胴部１３の下端の近傍の内部の側面に固着されており、中継リード線９１が孔９９を通って貫通し、受け板９４の上端に接続される。また、絶縁物質９８は、孔９９の上端と下端に径方向の内側に突出した部分を有する。バネ９２は、この孔９９の上端の突出した部分に上端が取り付けられ、且つ受け板９４に下端が取り付けられる。移動部材９３は上端に径方向の内側に突出した部分を有しており、これが上記した孔９９の下端の径方向の内側に突出した部分と係合されている。
【００３８】
上記のような構成とすることにより、口金６０の雄ねじ６１を雌ねじ部１１に螺合させていくとリード線５１ａと受け板９４とが当接し、ここからさらに螺合させるとバネ９２が撓むことにより受け板９４を含む移動部材９３が軸線方向の天井面側に移動する。
【００３９】
こうすることにより、ＬＥＤ電球５０の光源から導出されるリード線５１ａは、移動部材９３、および中継リード線９１を介して、電極１７と確実に電気的に導通される。その結果、リード線５１ａの長さを調整しなくてもよいため、より容易に所望の高さに照明器具１００、およびＬＥＤ電球５０を取り付けることが可能となる。
【００４０】
なお、上記した実施の形態では、光源である電球がＬＥＤ電球５０である場合について説明したが、これに限らず、光源としてその他の電球を用いてもよい。
【００４１】
なお、上記した実施の形態では、照明器具１００を天井面に取り付ける場合について説明したが、これに限らず、建造物の側壁などその他の場所に取り付けてもよい。
【００４２】
なお、上記した実施の形態では、口金スペーサー１０および延長用スペーサー２０は筒状である場合について説明したが、これに限らず、リード線５１ａが通るのに十分な径を有した軸線方向に貫通する孔を有し、その他の内部の部分は導電物質で満たされた形状であってもよい。なお、このような形状とする場合、リード線５１ａと口金スペーサー１０の孔の内部の側面とが電気的に接触することがないよう、孔の内部の側面には同じ軸線方向の孔を有する筒状の絶縁物質が設けられることが好ましい。なお、口金スペーサー１０および延長用スペーサー２０の形状は上記したものに限らず、他の形状としてもよい。
【００４３】
なお、上記した実施の形態では、口金スペーサー１０と延長用スペーサー２０、および延長用スペーサー２０同士が螺合して電気的に接続される場合について説明したが、これに限らず、その他の方法で電気的に接続されてもよい。
【００４４】
なお、上記した実施の形態では、口金６０が筒状である場合について説明したが、これに限らず、リード線５１ａが貫通できる他の形状であってもよい。
【００４５】
なお、上記した実施の形態では、口金スペーサー１０および延長用スペーサー２０が直線状である場合について説明したが、これに限らず、照明器具１００およびＬＥＤ電球５０を取り付ける場所の態様によっては、屈曲した形状であってもよい。
【００４６】
以上、図面を参照してこの考案の実施形態を説明したが、この考案は、図示する実施形態のものに限定されない。図示された実施形態に対して、この考案と同一の範囲内において、あるいは均等の範囲内において、種々の修正や変形を加えることが可能である。
【符号の説明】
【００４７】
１０  口金スペーサー、１１  雌ねじ部、１２，２２  雄ねじ部、１３，２３  胴部、１７  中央電極部、１８，９８  絶縁物質、２０  延長用スペーサー、５０  ＬＥＤ電球、５１ａ，５１ｂ  リード線、６０  口金、６１  口金の雄ねじ、１９，９９  孔、７０  反射カバー、９１  中継リード線、９２  バネ、９３  移動部材、９４  受け板、１００  照明器具。
【図１】
0003186151.tif 000003
【図２】
0003186151.tif 000004
【図３】
0003186151.tif 000005
【図４】
0003186151.tif 000006
【図５】
0003186151.tif 000007
【図６】
0003186151.tif 000008